(57)【特許請求の範囲】
【請求項１】
放電バルブを挿着したリフレクターがランプボディ内に配置され、前記放電バルブに安定した放電を継続させるためのバラスト回路ユニットが前記ランプボディ内下部に配置され、前記ランプボディとリフレクター間に介装されたエイミング機構によって、前記リフレクターがランプボディに対し傾動調整可能に支持された自動車用前照灯において、
前記ランプボディ下面壁の内側には、前記バラスト回路ユニット収容用のバラスト収容室を画成するためのバラストカバーが取着され、前記バラストカバーと前記リフレクターユニット間に前記エイミング機構のエイミング支点が設けられたことを特徴とする自動車用前照灯。
【請求項２】
左右一対のリフレクターを一体化したリフレクターユニットがランプボディ内に配置され、前記リフレクターの少なくとも一方に挿着した放電バルブに安定した放電を継続させるためのバラスト回路ユニットが前記ランプボディ内下部に配置され、前記ランプボディとリフレクターユニット間に介装されたエイミング機構によって、前記リフレクターユニットがランプボディに対し傾動調整可能に支持された自動車用前照灯において、
前記ランプボディ下面壁の内側には、前記バラスト回路ユニット収容用のバラスト収容室を画成するためのバラストカバーが取着され、前記バラストカバーと前記リフレクターユニット間に前記エイミング機構のエイミング支点が設けられたことを特徴とする自動車用前照灯。
【請求項３】
前記エイミング支点は、前記リフレクターユニットの左右のリフレクター間に配置されたことを特徴とする請求項２に記載の自動車用前照灯。
【請求項４】
前記エイミング支点は、前記バラストカバーに一体成形された玉受け部と、前記リフレクターまたはリフレクターユニット側に延出形成された脚に設けられて、前記玉受け部に支承される玉部とからなる玉継手で構成されるとともに、前記玉受け部には、前記玉部係脱用の上方開口部が設けられたことを特徴とする請求項１〜３のいずれかに記載の自動車用前照灯。
【請求項５】
前記バラストカバーには、傾動するリフレクターまたはリフレクターユニットとの干渉を避けるための切り欠きが設けられたことを特徴とする請求項１〜４のいずれかに記載の自動車用前照灯。
【請求項６】
前記バラストカバーの前縁下端部には、後方に延びる舌片状延出部が形成されるとともに、バラストカバーの上面壁には、前後貫通孔を設けたねじ止め用ブラケットが延出形成され、一方、前記ランプボディ下面壁には、前記舌片状延出部がスライド係合できる係合溝が設けられ、前記舌片状延出部を前記係合溝に係合し、前記ねじ止め用ブラケットを前記ランプボディにねじ締結することで、前記バラストカバーがランプボディ下面壁に位置決め固定されることを特徴とする請求項１〜５のいずれかに記載の自動車用前照灯。
【発明の詳細な説明】
【０００１】
【産業上の利用分野】
本発明は、放電バルブを挿着したリフレクターがエイミング機構によってランプボディに対し傾動調整可能に支持されたリフレクター可動型の自動車用前照灯に係わり、特に放電バルブに安定した放電を継続させるためのバラスト回路ユニットがランプボディ内に収容されている自動車用前照灯に関する。
【０００２】
【従来の技術】
この種の従来の前照灯は、図８，９に示すように、左右一対のリフレクター３，４を一体化したリフレクターユニット２がランプボディ１内に収容され、一方のリフレクター３には放電バルブ５が、他方のリフレター４には白熱バルブ６がそれぞれ挿着され、リフレクターユニット２とランプボディ背面壁１ａ間には、１個のエイミング支点ａと２本のエイミングスクリューｂ，ｃから構成されたエイミング機構Ｅが介装されて、リフレクターユニット２がランプボディ１に対し傾動調整可能に設けられている。符号Ｌｘ１，Ｌｙ１は、リフレクターユニット２の水平傾動軸，垂直傾動軸、符号８は前面レンズを示す。
【０００３】
エイミング支点ａは、左右方向エイミングスクリューｃの僅かな回動でリフレクターユニット２を大きく傾動できる（大きな光軸調整量が確保できる）ように、左右のリフレクター３，４間に配置されている。
【０００４】
符号７は、放電バルブ５に安定した放電を継続させるためのバラスト回路ユニットで、ランプボディ下面壁１ｂの内側に配置されており、バラスト回路ユニット７から導出する出力コード７ａは、放電バルブ５の後端部に接続されている。
【０００５】
【発明の解決しようとする課題】
しかし、エイミング支点ａが配置されるリフレクターユニット２と、ランプボディ背面壁１ａ間には、リフレクター３，４の湾曲形状に起因した前後に大きな隙が形成されている。このため、エイミング支点配設間距離Ｄが大きい場所にエイミング支点を設けるには、例えば従来技術として図示（図９参照）するように、大きく突出する脚２ａをリフレクターユニット２側に形成し、この脚２ａとランプボディ背面壁１ａとの間に、ユニバーサルジョイントを構成する玉継手構造のエイミング支点ａを設ける等、長い脚の先端部にエイミング支点を設ける必要があった。
【０００６】
このため、従来技術では、リフレクターユニット２側の重量が、長い脚２ａに負荷として作用し、エイミング支点ａ周辺部の剛性強度（図では、脚２ａの剛性強度）が不足するという問題があった。
【０００７】
そこで、発明者は、エイミング支点ａ周辺の剛性強度の低下を避けるには、エイミング支点を支持する脚２ａの長さを短くすればよい、と考えた。また、ランプボディ下面壁１ｂには、何らかの形態でバラスト回路ユニット７を固定する必要があり、バラストカバーによって、回路ユニット７を収容するためのバラスト収容室を画成する方法が考えられる。そこで、ランプボディ内下部にバラスト収容室を画成するためのバラストカバーを収着し、このバラストカバーとリフレクターユニットとの間にエイミング支点を介装するようにすれば、エイミング支点を支持する脚２ａの長さは短くなって、脚２ａの剛性強度の低下も避けられる、と考えて、本発明を提案するに至ったものである。
【０００８】
本発明は、前記従来技術の問題点および前記した発明者の知見に基づいてなされたもので、その目的は、エイミング支点配設間距離を短くすることで、エイミング支点周辺部における剛性強度不足を回避できる自動車用前照灯を提供することにある。
【０００９】
【課題を解決するための手段】
前記第１の目的を達成するために、請求項１に係わる自動車用前照灯においては、放電バルブを挿着したリフレクターがランプボディ内に配置され、前記放電バルブに安定した放電を継続させるためのバラスト回路ユニットが前記ランプボディ内下部に配置され、前記ランプボディとリフレクター間に介装されたエイミング機構によって、前記リフレクターがランプボディに対し傾動調整可能に支持された自動車用前照灯において、
前記ランプボディ下面壁の内側に、前記バラスト回路ユニット収容用のバラスト収容室を画成するためのバラストカバーを取着し、前記バラストカバーと前記リフレクター間に前記エイミング機構のエイミング支点を設けるように構成した。
（作用）バラストカバーをランプボディ下面壁に取着することで、ランプボディ内下部にバラスト収容室が形成される。
【００１０】
ランプボディ下面壁の内側に取着されたバラストカバーとリフレクターとの間にエイミング支点が設けられているため、エイミング支点を介装する部材間の距離、即ちエイミング支点配設間距離が、従来構造（ランプボディ背面壁とリフレクター間にエイミング支点を設ける場合）に比べて、短い。これにより、玉継手等のエイミング支点構成部材を支持するために、バラストカバーおよびリフレクター側にそれぞれ形成する脚は、従来構造に比べて短くなって、エイミング支点周辺部の剛性強度がそれだけ向上する。
【００１１】
請求項２に係わる自動車用前照灯においては、左右一対のリフレクターを一体化したリフレクターユニットがランプボディ内に配置され、前記リフレクターの少なくとも一方に挿着した放電バルブに安定した放電を継続させるためのバラスト回路ユニットが前記ランプボディ内下部に配置され、前記ランプボディとリフレクターユニット間に介装されたエイミング機構によって、前記リフレクターユニットがランプボディに対し傾動調整可能に支持された自動車用前照灯において、
前記ランプボディ下面壁の内側に、前記バラスト回路ユニット収容用のバラスト収容室を画成するためのバラストカバーを取着し、前記バラストカバーと前記リフレクターユニット間に前記エイミング機構のエイミング支点を設けるように構成した。
（作用）バラストカバーをランプボディ下面壁に取着することで、ランプボディ内下部にバラスト収容室が形成される。
【００１２】
ランプボディ下面壁の内側に取着されたバラストカバーとリフレクターユニットとの間にエイミング支点が設けられているため、エイミング支点を介装する部材間の距離、即ちエイミング支点配設間距離が、従来構造（ランプボディ背面壁とリフレクターユニット間にエイミング支点を設ける場合）に比べて、短い。これにより、玉継手等のエイミング支点構成部材を支持するために、バラストカバー側およびリフレクターユニット側にそれぞれ形成する脚は、従来構造に比べて短くなって、エイミング支点周辺部の剛性強度がそれだけ向上する。
【００１３】
請求項３においては、請求項２に記載の自動車用前照灯において、前記エイミング支点を、前記リフレクターユニットの左右のリフレクター間に配置するようにした。
（作用）エイミング支点と左右エイミングスクリューをリフレクターユニットの左右方向端縁部に設ける場合に比べて、エイミング支点と左右エイミングスクリュー間の距離が短く、左右エイミングスクリューの僅かな回動量に対してリフレクターユニットの大きな傾動量が得られる。
【００１４】
請求項４においては、請求項１〜３のいずれかに記載の自動車用前照灯において、前記エイミング支点を、前記バラストカバーに一体成形した玉受け部と、前記リフレクターまたはリフレクターユニット側に延出形成した脚に設けて、前記玉受け部に支承される玉部とから構成するとともに、前記玉受け部に前記玉部係脱用の上方開口部を設けるようにした。
（作用）玉受け部における玉部係脱用の上方開口部の上方から、玉部を下方に押圧することで、玉部が玉受け部に係合し、玉受け部に係合する玉部を上方に引っ張ることで、玉部が玉受け部から逸脱する。
【００１５】
請求項５においては、請求項１〜４のいずれかに記載の自動車用前照灯において、前記バラストカバーに、傾動するリフレクターまたはリフレクターユニットとの干渉を避けるための切り欠きを設けるようにした。
（作用）バラストカバーに設けた切り欠きにカバーと干渉しないので、バラストカバーをそれだけリフレクターまたはリフレクターユニットに接近して形成できる。
【００１６】
請求項６においては、請求項１〜５のいずれかに記載の自動車用前照灯において、前記バラストカバーの前縁下端部に、後方に延びる舌片状延出部を形成するとともに、バラストカバーの上面壁に、前後貫通孔を設けたねじ止め用ブラケットを延出形成し、一方、前記ランプボディ下面壁に、前記舌片状延出部がスライド係合できる係合溝を設け、前記舌片状延出部を前記係合溝に係合し、前記ねじ止め用ブラケットを前記ランプボディにねじ締結することで、前記バラストカバーをランプボディ下面壁に位置決め固定するように構成した。
（作用）ランプボディの前方から、バラストカバー前縁下端部の舌片状延出部をランプボディ下面壁の係合溝にスライド係合させると、バラストカバー上面壁のねじ止め用ブラケットがランプボディ側対応部に当接した形態となるので、ねじ止め用ブラケットの貫通孔にねじを配することで、簡単にバラストカバーをランプボディ下面壁に固定できる。
【００１７】
【実施例】
次に、本発明の実施例を図面に基づいて説明する。
【００１８】
図１〜図７は本発明の一実施例である自動車用前照灯を示すもので、本発明をリフレクター可動型の前照灯に適用した実施例である。図１は同前照灯の正面図、図２は同前照灯の水平断面図（図１に示す線II−IIに沿う断面図）、図３は同前照灯の縦断面図（図１に示す線III −III に沿う断面図）、図４は同前照灯の縦断面図（図１に示す線ＩＶ−ＩＶに沿う断面図）、図５は同前照灯のエイミング支点配設位置における拡大水平断面図（図１に示す線Ｖ−Ｖに沿う断面図）、図６はランプボディおよびバラストカバーの分解斜視図、図７はエイミング支点である玉継手を構成する玉受け部の拡大斜視図である。
【００１９】
これらの図において、符号１０は、車体の前方から側方にかけての領域に対応する前面が開口する容器状の合成樹脂製ランプボディで、ランプボディ１０の略矩形状の前面開口部に湾曲する前面レンズ１２が組付けられて、ランプボディ１０と前面レンズ１２とによって灯室空間が形成されている。そしてこの灯室空間内には、すれ違いビームおよび走行ビーム形成用の第１のリフレクター２１と走行ビーム形成用の第２のリフレクター２２を左右に所定距離間して一体化したリフレクターユニット２０が収容されている。
【００２０】
リフレクター２１，２２の後頂部には、バルブ挿着孔２３，２４が形成され、バルブ挿着孔２３，２４には、光源である放電バルブ２５，ハロゲンバルブ２６が挿着されている。放電バルブ２５の後端部には、リフレクターユニット２０の下方に配置されたバラスト回路ユニット４０から延びる出力コード４２（図２参照）がコネクタ４３を介して接続されている。バラスト回路ユニット４０は、放電バルブ２５に安定した放電を継続させるためのもので、図３，４に示すように、ランプボディ下面壁１０ａの内側に沿って形成されたバラスト収容室Ｂ内に収容固定されている。
【００２１】
符号２５ａは、放電バルブ２５の前方に設けられて、バルブ２５の発光部からリフレクター２１の所定の有効反射面以外の領域に向かう光を遮光して、所定の配光の形成に寄与するとともに、直射光が前面レンズ１２から出射されることを防ぐシェードである。
【００２２】
リフレクターユニット２０は、１個の玉継手３２と２本のエイミングスクリュー３４，３６（上下エイミングスクリュー３４，左右エイミングスクリュー３６）とからなるエイミング機構３０によって、ランプボディ１０に対し上下左右方向に傾動できるように支持されており、エイミングスクリュー３４，３６を回動操作することで、リフレクターユニット２０が水平軸Ｌｘ，垂直軸Ｌｙ回りにそれぞれ傾動できる構造となっている。
【００２３】
即ち、玉継手３２は、図４に示すように、リフレクターユニット２０のリフレクター２１，２２間領域下部に延出形成された脚２７の先端に固設された玉部３３ａが、ランプボディ下面壁１０ａの内側に形成されたバラスト収容室Ｂ上に設けられた玉受部３３ｂに支承された構造で、リフレクターユニット２０（リフレクター２１，２２）のエイミング支点を構成している。
【００２４】
またエイミングスクリュー３４，３６は、図４，５に示すように、ランプボディ１０の背面壁１０ｂそれぞれに設けられたスクリュー挿通孔に回転可能に支承されるとともに、ランプボディ背面壁１０ｂを前後に貫通して前方に延出しており、スクリュー３４，３６の前端部には、リフレクターユニット２０に延出形成されたブラケット２８，２９に嵌着するナット３５，３７が螺合した構造となっている。
【００２５】
そして玉継手３２とエイミングスクリュー３４，３６とは、図１に示されるように、正面視して直交するように配置されており、エイミングスクリュー３４，３６を回動操作すると、ナット３５，３７がエイミングスクリュー３４，３６に沿って進退し、リフレクターユニット２０（リフレクター２１，２２）が水平軸Ｌｘ（玉継手３２とナット３７を通る軸），垂直軸Ｌｙ（玉継手３２とナット３５を通る軸）周りにそれぞれ傾動して、リフレクター２１，２２の光軸Ｌ1 ，Ｌ2 を上下左右方向に傾動調整できる。
【００２６】
図４における符号３８は、オートレベリング用のアクチュエータで、アクチュエータケース３８ａ内には、上下エイミングスクリュー３４を回転駆動させる駆動モータ３９が設けられている。このオートレベリング用のアクチュエータ３８は、例えば、自動車の車体の前後軸の傾斜を検出する傾斜センサの出力（傾斜角）に応じて、路面に対する前照灯の光軸の傾斜が常に一定となるようにモータ３９の駆動を制御することで、上下エイミングスクリュー３４を回動制御して、リフレクターユニット２０（リフレクター２１，２２）を水平軸Ｌｘ周りに傾動調整する。
【００２７】
このように、本実施例では、ランプボディ背面壁１０ｂの前方に設けられたバラスト収容室Ｂの上面壁とリフレクターユニット２０との間にエイミング支点である玉継手３２が設けられているため、玉継手３２を介装する部材間の距離、即ち、エイミング支点配設間距離が、ランプボディ背面壁１０ｂとリフレクターユニット２０間にエイミング支点を設ける場合に比べて、短くなる。このため、玉継手３２の玉部３３ａを設けるためにリフレクターユニット２０側に形成した脚２７は、ランプボディ背面壁１０ｂとリフレクターユニット２０間にエイミング支点を設ける場合に比べて短くなって、エイミング支点周辺部である脚２７の剛性強度がそれだけ向上したものとなっている。
【００２８】
符号５０は、ランプボディ下面壁１０ａの内側に取着一体化された合成樹脂製のバラストカバーで、ランプボディ下面壁１０ａと協働してバラスト収容室Ｂを形成している。バラスト収容室Ｂを画成するバラストカバー５０は、図６に示すように、左右一対の側面壁５１，５１を有する縦断面Ｌ字型で、バラスト回路ユニット４０全体を覆うことができる枠形状に形成されている。
【００２９】
バラストカバー５０の内側には、縦方向に延びるリブ５０ａ（図３参照）が左右方向所定間隔に設けられており、また、バラスト収容室Ｂの後方に開口する開口部７０には、図３，４，６に示すように、蓋７１が収着されるが、この蓋７１にも縦リブ７１ａが一体に形成されている、そして、バラストカバー５０がランプボディ下面壁１０ａの内側に取着一体化されてバラスト収容室Ｂが形成された形態において、バラスト回路ユニット４０は、バラストカバー５０のリブ５０ａと蓋７１の縦リブ７１ａとランプボディ下面壁１０ａ間に挟持されて、バラスト収容室Ｂ内にがたつかないように保持される。
【００３０】
バラストカバー５０の前縁下端部には、図４に示すように、後方に延びる舌片状延出部５２が延出形成され、バラストカバー上面壁５３の後端側には、前後貫通孔５５を設けたねじ止め用ブラケット５４が上方に延出形成されている。
【００３１】
一方、ランプボディ下面壁１０ａは、リフレクターユニット２０の下方にバラスト回路ユニット４０収容用の十分なスペースを確保できるように、一部の領域が下方に膨出する形状に形成されている。即ち、ランプボディ下面壁１０ａには、図３，４に示すように、その前縁領域１０ａ１がランプボディ前面開口部から奥に向かって下向きに傾斜して水平領域１０ａ２に連なることで、リフレクターユニット２０の幅にほぼ対応する大きさの膨出部１１（図１参照）が形成されている。
【００３２】
また、膨出部１１の内側においてほぼ垂直に起立し左右に対向する内側壁１１ａ，１１ｂ（図６参照）は、バラストカバー５０の左右の側面壁５１，５１に対応する位置に形成されて、バラストカバー５０を左右方向に位置決めする。
【００３３】
また、膨出部１１内側の内側壁１１ａ，１１ｂで挟まれた領域に臨むランプボディ背面壁１０ｂには、前記したように、バラスト収容室Ｂに連通する開口部７０が形成され、この開口部７０を介してバラスト回路ユニット４０を出し入れできる。
この開口部７０の周縁には、バラストカバー５０側のねじ止め用ブラケット５４が当接できるボス７２が設けられ、それぞれのボス７２には、ねじ孔７３が設けられている。ボス７２は、バラストカバー５０側のブラケット５４に当接して、バラストカバー５０を前後方向に位置決めする。また、バラストカバー５０側のブラケット５４がボス７２にねじ７４で固定されることで、バラストカバー５０は、上下左右方向に位置決めされる。
【００３４】
また、ランプボディ下面壁１０ａにおける内側壁１１ａ，１１ｂで挟まれた領域は、図６に示すように、前後に延びる幅広の凸リブ７６と凹リブ７７が左右方向に連続する形状に形成されて、バラスト回路ユニット４０の重量負荷に対するランプボディ下面壁１０ａの剛性強度が確保されている。
さらに、バラスト回路ユニット交換用の開口部７０の周縁にも、ほぼ等間隔にリブ７８が設けられて、バラスト回路ユニット４０の重量負荷に対する開口部７０周縁の剛性強度も確保されている。
【００３５】
また、膨出部１１内側における内側壁１１ａ，１１ｂで挟まれた領域には、バラストカバー５０の舌片状延出部５２がスライド係合できる係合溝６０が設けられている。係合溝６０は、図４，６に示すように、斜め下向きに後方に傾斜し、係合溝６０の前縁部には、バラストカバー５０側の舌片状延出部５２を掛止する一対のフック６２，６２が設けられている。係合溝６０は、舌片状延出部５２と係合して、バラストカバー５０を前後方向および上下方向に位置決めする。
【００３６】
そして、バラストカバー５０をランプボディ１０に取着するには、ランプボディ１０の前方からランプボディ下面壁１０ａ（膨出部１１）に沿ってバラストカバー５０を挿入し、バラストカバー５０の舌片状延出部５２を係合溝６０内にスライドさせて係合する。このとき、ねじ止め用ブラケット５４がランプボディ１０側のボス７２に当接した形態となるので、ブラケット５４をボス７２にねじ締結すれば、バラストカバー５０がランプボディ下面壁１０ａに位置決め固定一体化される。
【００３７】
また、ねじ止め用ブラケット５４およびボス７２の端面は、図４に示すように、鉛直面に対し後傾しており、ブラケット５４をねじ締結する作業がし易い。
【００３８】
また、バラストカバー５０の上面には、図７に拡大して示すように、エイミング支点である玉継手３２の玉受け部３３ｂが設けられている。即ち、バラストカバー上面壁５３には、球面８２と一対の挟持片８４，８４で構成される玉受け部３３ｂが一体成形されている。球面８２は、対向するＶ字型立壁状の一対の挟持片８４，８４で囲まれた構造で、エイミング支点である玉継手３２の玉部３３ａは、一対の挟持片８４，８４の掛止先端部８４ａ，８４ａによって球面８２に圧接されかつ抜け止めされた状態に保持されることで、支承される。球面８２は上方の円筒外周面８３に連なって、玉受け部３３ｂの上方が開口されており、玉部３３ａを上方から玉受け部３３ｂに押し込んで、両者３３ａ，３３ｂを係合させることも、両者３３ａ，３３ｂが係合する形態から玉部３３ａを上方に引っ張って、玉受け部３３ｂから抜き出すことも可能である。
【００３９】
図４，６，７における符号５７は、バラストカバー５０前縁部に形成された切り欠きで、玉部３３ａが設けられているリフレクターユニット２０側の脚２７に対応する位置に設けられており、エイミングにより傾動するリフレクターユニット２０（脚２７）との干渉を避けるためのものである。
【００４０】
図５，６における符号５８は、バラストカバー上面壁５３に形成された切り欠きで、開口部７０からバラスト回路ユニット４０を抜き出す際に、バラスト回路ユニット４０とともに出力コード４２も抜き出せるように、コネクタ４３を挿通できる大きさに形成されている。
【００４１】
そして、リフレクターユニット２０をランプボディ１０に組み付けるには、まず、ランプボディ１０にエイミングスクリュー３４，３６を組み付け、一方、リフレクターユニット２０の脚２７，２８，２９には、玉部材（玉部３３ａ），ナット３５，３７を装着しておく。そして、リフレクターユニット２０をランプボディ１０内に入れて、玉部３３ａが玉受け部３３ｂの開口部に押し込まれるようにリフレクターユニット２０を動かして押圧すれば、玉部３３ａを玉受け部３３ｂに簡単に係合させることができる。次いで、エイミングスクリュー３４，３６の先端にナット３５，３７を合わせ、エイミングスクリュー３４，３６を回動し、エイミングスクリュー３４，３６にナット３５，３７を螺合させる。これによって、リフレクターユニット２０がエイミング機構３０を介してランプボディ１０に組み付け一体化された形態となる。
【００４２】
また、ランプボディ１０に組み付けられているリフレクターユニット２０を外すには、リフレクターユニット２０をランプボディ１０に組み付ける場合の手順と全く逆の要領で行えばよい。
【００４３】
符号１８は、ランプボディ１０の前面開口部と前面レンズ１２間に配設されて、リフレクターユニット２０（リフレクター２１，２２）とランプボディ１０間の隙間を隠すように延在する矩形枠体形状のエクステンションリフレクターで、リフレクター２１，２２に対応する開口部１８ａ，１８ｂが形成されている。エクステンションリフレクター１８の表面には、リフレクター２１，２２と同様のアルミ蒸着処理が施されており、ランプを前方から見たときに非点灯時の灯室内全体が奥行きをもった金属色に見えて、外観体裁が良好となっている。
【００４４】
符号９１，９２は、ランプボディ背面壁１０ｂのバルブ挿着孔２３，２４に臨む位置に設けられたバルブ交換用の開口部で、開口部９１には、バックカバー９３が装着され、開口部９２には、ゴム製の防塵防水カバー９４が装着されている。
【００４５】
なお、前記した実施例では、リフレクターユニット２０における一方のリフレクター２１にのみ放電バルブ２５が挿着されていたが、他方のリフレクター２２にも放電バルブ２５が挿着された構造であってもよい。
【００４６】
また、前記した実施例では、左右一対のリフレクター２１，２２を一体化したリフレクターユニット２０がエイミング機構３０によってランプボディ１０に対し傾動可能に支持されている前照灯について説明したが、第２の実施例として、放電バルブを挿着した単一のリフレクターがエイミング機構によってランプボディに対し傾動可能に支持されている構造の前照灯にも同様に適用できる。即ち、ランプボディ背面壁の前方に取着されたバラストカバーとリフレクターとの間に、リフレクターを傾動可能に支持するエイミング機構のエイミング支点を設けるように構成してもよい。
【００４７】
【発明の効果】
以上の説明から明らかなように、請求項１および請求項２に係る自動車用前照灯によれば、エイミング支点配設間距離が短くなって、エイミング支点周辺部の剛性強度が向上するので、長期にわたり適正なエイミングが保証される。
【００４８】
請求項３によれば、左右エイミングスクリューを僅かに回動するだけで光軸を左右に大きく傾動できるので、左右エイミングが容易となる。
【００４９】
請求項４によれば、玉部を玉受け部に対し上下方向に押圧するようにリフレクターまたはリフレクターユニットを動かすだけで、玉部と玉受け部間の係脱ができるので、リフレクターのランプボディへの組み付けおよびランプボディからの分離が容易となる。
【００５０】
請求項５によれば、バラストカバーをリフレクターまたはリフレクターユニットに接近させて配置できるので、バラスト収容室を設計する上でのレイアウトの自由度が高く、しかも前照灯のコンパクト化も達成できる。
【００５１】
請求項６によれば、ランプボディの前方からランプボディ下面壁にバラストカバーを組み付けてねじ固定することで、簡単にバラスト収容室を形成できる。
【図面の簡単な説明】
【図１】本発明の一実施例である自動車用前照灯の正面図
【図２】同前照灯の水平断面図（図１に示す線II−IIに沿う断面図）
【図３】同前照灯の縦断面図（図１に示す線III −III に沿う断面図）
【図４】同前照灯の縦断面図（図１に示す線ＩＶ−ＩＶに沿う断面図）
【図５】同前照灯のエイミング支点配設位置における拡大水平断面図（図１に示す線Ｖ−Ｖに沿う断面図）
【図６】ランプボディおよびバラストカバーの分解斜視図
【図７】エイミング支点である玉継手を構成する玉受け部の拡大斜視図
【図８】従来の前照灯の正面図
【図９】同前照灯の縦断面図（図８に示す線ＩＸ-ＩＸに沿う断面図）
【符号の説明】
１０  ランプボディ
１０ａ  ランプボディ下面壁
１０ｂ  ランプボディ背面壁
１１  ランプボディ下面壁の下方膨出部
２０  リフレクターユニット
２１  第１のリフレクター
２２  第２のリフレクター
２５  光源である放電バルブ
２６  光源である白熱バルブ
２７  玉継手の玉部を設けるための脚
２８，２９  ナット装着用の脚
３０  エイミング機構
３２  エイミング機構のエイミング支点である玉継手
３３ａ  玉部
３３ｂ  玉受部
３４  上下エイミングスクリュー
３５  ナット
３６  左右エイミングスクリュー
３７  ナット
４０  バラスト回路ユニット
Ｂ  バラスト収容室
５０  バラスト収容室を画成するバラストカバー
５２  舌片状延出部
５５  貫通孔
５４  ねじ止め用ブラケット
６０  係合溝
７０  バラスト回路ユニット挿脱用の開口部
７４  締結ねじ
【図１】
0003929013.tif 000002
【図２】
0003929013.tif 000003
【図３】
0003929013.tif 000004
【図４】
0003929013.tif 000005
【図５】
0003929013.tif 000006
【図６】
0003929013.tif 000007
【図７】
0003929013.tif 000008
【図８】
0003929013.tif 000009
【図９】
0003929013.tif 000010